(57)【特許請求の範囲】
【請求項１】
所定の情報が印字された印刷物が、少なくとも一部が透明フィルムからなる封筒に封入されて構成される封入体であって、
前記印刷物は、前記所定の情報が黒色で印字され、前記透明フィルムを介して外部から視認可能な領域のうち前記所定の情報の少なくとも一部を含む特定の領域が、黒以外の色で着色されており、
前記封筒は、少なくとも、前記印刷物が封入された場合に前記特定の領域に対向する領域が、前記特定の領域の色と補色関係にある色の透明フィルムからなることを特徴とする封入体。
【請求項２】
請求項１に記載の封入体の作成方法であって、
前記特定の領域を着色した後に、前記着色された領域に従って前記所定の情報を印字することを特徴とする封入体の作成方法。
【請求項３】
請求項１に記載の封入体の作成方法であって、
前記所定の情報を印字した後に、前記所定の情報のうち前記封筒を介して外部から視認不可能とすべき情報が印字された領域を着色することを特徴とする封入体の作成方法。
【請求項４】
所定の情報が印字された印刷物が、少なくとも一部が透明フィルムからなる封筒に封入されて構成される封入体であって、
前記封筒は、特定の領域が内部を透視可能となるような所定の色の透明フィルムから構成され、
前記印刷物は、前記封筒に封入された場合に前記特定の領域に対向する領域に印字された情報のうち特定の情報が前記特定の領域と同一の色で印字されていることを特徴とする封入体。
【発明の詳細な説明】
【０００１】
【発明の属する技術分野】
本発明は、所定の情報が印字された印刷物が封筒に封入されて構成される封入体に関し、特に、透明フィルムからなる封筒に印刷物が封入されて構成される封入体及びその作成方法に関する。
【０００２】
【従来の技術】
従来より、ダイレクトメール等といった郵送等によって送付される送付物においては、差出人が受取人に通知したい情報が文字や画像として所定の用紙に印字されており、そのほとんどが、封筒等に封入、封緘され、封入体として受取人に送付されている。
【０００３】
このような封入体は、受取人が封筒を開封して封筒等に封入された送付物を閲覧することによって、差出人が通知したい情報が受取人に通知されることになる。
【０００４】
また、近年においては、送付物を封入、封緘する封筒としてフィルムを用い、このフィルムから作成された封筒に封入物が封入、封緘された封入体が流通している。このフィルムから作成された封筒においては、紙から作成された封筒と比べて、耐水性に優れ、また、透明のフィルムを用いれば、封入されている封入物を視認可能に構成することもでき、さらに、フィルムの色によっては、外観上も優れたものとすることができる。
【０００５】
【発明が解決しようとする課題】
しかしながら、上述したように送付物が封筒に封入された従来の封入体においては、受取人が封筒を開封して封筒等に封入された送付物を閲覧することによって、差出人が通知したい情報が受取人に通知されるため、受取人が封筒を開封せずに捨ててしまった場合等、受取人が封筒を開封しない状態においては、差出人が通知したい情報を受取人に通知することができず、また、その場合、封入体の作成にかかる手間及びコスト、並びにこの封入体を郵送した場合は郵送にかかるコストが無駄になってしまうという問題点がある。
【０００６】
また、上述したように透明フィルムからなる封筒を用いた場合においても、差出人が通知したい情報のうち外部から視認可能となる領域に印字された情報については、封筒を開封しない状態であっても受取人に通知することができるものの、外部から視認可能ではない領域に印字された情報については、封筒を開封しなければ受取人に通知することができず、上記同様の問題点が生じてしまう。
【０００７】
本発明は、上述したような従来の技術が有する問題点に鑑みてなされたものであって、所定の情報が印字された印刷物が封筒に封入されて構成される封入体において、封筒の開封意欲を掻き立て、開封率を高めることができる封入体及びその作成方法を提供することを目的とする。
【０００８】
【課題を解決するための手段】
上記目的を達成するために本発明は、
所定の情報が印字された印刷物が、少なくとも一部が透明フィルムからなる封筒に封入されて構成される封入体であって、
前記印刷物は、前記所定の情報が黒色で印字され、前記透明フィルムを介して外部から視認可能な領域のうち前記所定の情報の少なくとも一部を含む特定の領域が、黒以外の色で着色されており、
前記封筒は、少なくとも、前記印刷物が封入された場合に前記特定の領域に対向する領域が、前記特定の領域の色と補色関係にある色の透明フィルムからなることを特徴とする。
【０００９】
また、前記封入体の作成方法であって、
前記特定の領域を着色した後に、前記着色された領域に従って前記所定の情報を印字することを特徴とする。
【００１０】
また、前記封入体の作成方法であって、
前記所定の情報を印字した後に、前記所定の情報のうち前記封筒を介して外部から視認不可能とすべき情報が印字された領域を着色することを特徴とする。
【００１１】
また、所定の情報が印字された印刷物が、少なくとも一部が透明フィルムからなる封筒に封入されて構成される封入体であって、
前記封筒は、特定の領域が内部を透視可能となるような所定の色の透明フィルムから構成され、
前記印刷物は、前記封筒に封入された場合に前記特定の領域に対向する領域に印字された情報のうち特定の情報が前記特定の領域と同一の色で印字されていることを特徴とする。
【００１２】
（作用）
上記のように構成された本発明においては、所定の情報が印字された印刷物上において、所定の情報が印字された領域のうち特定の領域が、黒以外の色に着色されており、また、印刷物が封入される封筒においては、透明フィルムから構成されており、少なくとも、印刷物が封入された場合に特定の領域に対向する領域が、特定の領域が着色された色と補色関係にある色に着色されているので、印刷物を封筒に封入した場合、印刷物の着色された領域の色と封筒の着色された領域の色とによる減色原理によって、印刷物の特定の領域が黒くなり、それにより、封筒に接する領域に印字された情報のうち特定の領域に黒色で印字された情報のみが外部から視認不可能となる。
【００１３】
これにより、印刷物の特定の領域に印字された情報を見るために封筒を開封しようとする意識が高まり、開封意欲が掻き立てられることになる。
【００１４】
また、上述したような封入体を、特定の領域を着色した後に、着色された領域に従って所定の情報を印字することにより作成すれば、予め着色された特定の領域に任意の情報を印字することが可能となり、封入体毎に同一の領域にて異なる情報を外部から視認不可能とすることができる。
【００１５】
また、上述したような封入体を、所定の情報を印字した後に、所定の情報のうち封筒を介して外部から視認不可能とすべき情報が印字された領域を着色することにより作成すれば、同一の情報が同一のレイアウトで印字された印刷物に対しても任意の情報を外部から視認不可能とすることができる。
【００１６】
【発明の実施の形態】
以下に、本発明の実施の形態について図面を参照して説明する。
【００１７】
（第１の実施の形態）
図１は、本発明の封入体の第１の実施の形態を示す図であり、（ａ）は所定の情報が印字された印刷物を示す図、（ｂ）は（ａ）に示した印刷物が封入される封筒を示す図である。
【００１８】
本形態における印刷物１０は図１（ａ）に示すように、封筒２０に封入された場合に封筒２０を介して外部から視認可能な領域に所定の情報１２が黒色で印字されており、また、所定の情報１２が印字された領域のうち特定の領域が、黒以外の色に着色された着色領域１１となっている。なお、印刷物１０に印字される情報１２は、黒色で印字されているものであれば、文字、図形あるいはイラスト等のいずれにも限定されない。また、印刷物１０には、封筒２０に封入された場合に封筒２０を介して外部から視認可能な領域以外にも情報が印字されている。
【００１９】
また、本形態における封筒２０は透明フィルムから構成されており、図１（ｂ）に示すように、少なくとも、図１（ａ）に示した印刷物１０が封入された場合に着色領域１１に対向する領域が、着色領域１１が着色された色と補色関係にある色に着色された着色領域２１となっている。この着色領域２１においては、例えば、着色領域１１が着色された色と補色関係にある色で印刷を施すことが考えられるが、封筒２０を構成する透明フィルム自体を、着色領域１１が着色された色と補色関係にある色のものを用いることも考えられる。また、この着色領域２１における着色は、封筒２０の内部が外部から視認可能となるような程度の透明度を保つ程度のものとする必要がある。
【００２０】
ここで、着色領域１１の色と着色領域２１の色との関係について説明する。
【００２１】
着色領域１１の色と着色領域２１の色とは補色関係にあるが、補色関係の色としては、例えば、赤に対して青ないし緑や、黄色に対して青や、緑に対して紫等が挙げられる。これら補色関係にある色どうしを重ね合わせた場合、減色混合の原理によって黒くなる。そのため、例えば、着色領域１１を赤に着色した場合は、着色領域２１を青または緑に着色すれば、印刷物１０が封筒２０に封入された際に着色領域１１が黒くなり、それにより、着色領域１１に黒色で印字された情報１２は外部から視認不可能となる。また、着色領域１１を青または緑に着色した場合は、着色領域２１を赤に着色すれば、印刷物１０が封筒２０に封入された際に着色領域１１が黒くなり、それにより、着色領域１１に黒色で印字された情報１２は外部から視認不可能となる。
【００２２】
図２は、図１に示した印刷物１０が封筒２０に封入された状態を示す図である。
【００２３】
図２に示すように、図１（ａ）に示した印刷物１０が図１（ｂ）に示した封筒２０に封入されると、着色領域１１における色と着色領域２１における色とによる減色原理によって、着色領域１１が黒くなり、それにより、着色領域１１に黒色で印字された情報１２が外部から視認不可能となる。
【００２４】
上述したように本形態においては、印刷物１０上において、所定の情報１２が印字された領域のうち特定の領域が、黒以外の色に着色された着色領域１１となっており、また、印刷物１０が封入される封筒２０においては、透明フィルムから構成されており、少なくとも、印刷物１０が封入された場合に着色領域１１に対向する領域が、着色領域１１が着色された色と補色関係にある色に着色された着色領域２１となっているため、印刷物１０を封筒２０に封入した場合、着色領域１１における色と着色領域２１における色とによる減色原理によって、着色領域１１が黒くなり、それにより、封筒１０に接する領域に印字された情報１２のうち着色領域１１に黒色で印字された情報１２のみが外部から視認不可能となり、着色領域１１以外に印字された情報１２を外部から視認可能としながらも、着色領域１１に黒色で印字された情報１２を外部から視認不可能とすることができる。
【００２５】
これにより、着色領域１１に印字された情報を見るために封筒２０を開封しようとする意識が高まり、開封意欲を掻き立て、封筒２０の開封率を高めることができる。特に、この封入体を手にする顧客の興味をひくような情報を着色領域１１に印字すれば、さらに、開封意欲を高めることができる。
【００２６】
以下に、上述した封入体の作成方法について説明する。
【００２７】
図３は、図１及び図２に示した封入体の作成方法の一例を説明するためのフローチャートである。
【００２８】
まず、印刷物１０の特定の領域を、黒以外の色に着色し、着色領域１１とする（ステップＳ１）。なお、着色領域１１は、印刷物１０上において予め決められた場所に配置されている。
【００２９】
次に、印刷物１０に所定の情報１２を印字する（ステップＳ２）。ここで、印刷物１０が封筒２０に封入された場合に外部から視認不可能とすべき情報１２については、着色領域１１に印字する。
【００３０】
また、封筒２０に対して、少なくとも、印刷物１０が封入された場合に着色領域１１に対向する領域となる着色領域１２を、着色領域１１が着色された色と補色関係にある色に着色する（ステップＳ３）。なお、封筒２０を構成する透明フィルムとして、着色領域１１が着色された色と補色関係にある色のものを用いた場合は、ステップＳ３における処理は行わない。
【００３１】
その後、印刷物１０を封筒２０に封入、封緘し、封入体を作成する（ステップＳ４）。
【００３２】
上記のように作成される封入体においては、印刷物１０上のうち、黒以外の色で着色された着色領域１１に、外部から視認不可能とすべき情報が印字されることになるため、予め決められた同一の場所に配置された着色領域１１にて封入体毎に異なる情報を外部から視認不可能とすることができる。
【００３３】
図４は、図１及び図２に示した封入体の作成方法の他の例を説明するためのフローチャートである。
【００３４】
まず、印刷物１０に所定の情報１２を印字する（ステップＳ１１）。
【００３５】
次に、印刷物１０に印字された情報１２のうち、外部から視認不可能とすべき情報が印字された領域を、黒以外の色に着色し、着色領域１１とする（ステップＳ１２）。
【００３６】
また、封筒２０に対して、少なくとも、印刷物１０が封入された場合に着色領域１１に対向する領域となる着色領域１２を、着色領域１１が着色された色と補色関係にある色に着色する（ステップＳ１３）。なお、封筒２０を構成する透明フィルムとして、着色領域１１が着色された色と補色関係にある色のものを用いた場合は、ステップＳ１３における処理は行わない。
【００３７】
その後、印刷物１０を封筒２０に封入、封緘し、封入体を作成する（ステップＳ１４）。
【００３８】
上記のように作成される封入体においては、印刷物１０に印字された情報のうち外部から視認不可能とすべき情報が印字された領域が、黒以外の色で着色することにより着色領域１１となるため、同一の情報が印字された印刷物１０においても、着色領域１１の配置を変えることにより、外部から視認不可能となる情報を異ならせることができる。
【００３９】
なお、本形態においては、印刷物１０に印字される情報１２の色を黒色として説明したが、本発明はこれに限らず、情報１２を黒色に近い濃い色によって印刷物１０に印字することにより、上述したものと同様の効果を得ることができる。
【００４０】
（第２の実施の形態）
図５は、本発明の封入体の第２の実施の形態を示す図であり、（ａ）は所定の情報が印字された印刷物を示す図、（ｂ）は（ａ）に示した印刷物が封入される封筒を示す図である。
【００４１】
本形態における印刷物１１０は図５（ａ）に示すように、封筒１２０に封入された場合に封筒１２０を介して外部から視認可能な領域に所定の情報１１１，１１２が印字されて構成されている。なお、情報１１１と情報１１２とは互いに異なる色で印字されている。また、情報１１１，１１２は、互いに異なる色で印字されているものであれば、文字、図形あるいはイラスト等のいずれにも限定されない。また、印刷物１１０には、封筒１２０に封入された場合に封筒１２０を介して外部から視認可能な領域以外にも情報が印字されている。
【００４２】
また、本形態における封筒１２０は透明フィルムから構成されており、図５（ｂ）に示すように、少なくとも、図５（ａ）に示した印刷物１１０が封入された場合に情報１１１に対向する領域が、情報１１１の印字色と同一の色に着色された着色領域１２１となっている。この着色領域１２１においては、例えば、情報１１１の印字色と同一の色で印刷を施すことが考えられるが、封筒１２０を構成する透明フィルム自体を、情報１１１の印字色と同一の色のものを用いることも考えられる。また、この着色領域１２１における着色は、封筒１２０の内部が外部から透視可能となるような色とする必要がある。
【００４３】
図６は、図５に示した印刷物１１０が封筒１２０に封入された状態を示す図である。
【００４４】
図６に示すように、図５（ａ）に示した印刷物１１０が図５（ｂ）に示した封筒１２０に封入されると、印刷物１１０に印字され、封筒１２０の着色領域１２１に対向するようになる情報１１１，１１２のうち、情報１１２は封筒１２０の着色領域１２１を介して視認可能であるが、情報１１１は着色領域１２１と同一の色で着色されているため視認不可能となる。
【００４５】
上述したように本形態においては、封筒１２０の特定の領域が外部から内部を透視可能となるような色に着色された着色領域１２１となっており、また、この封筒１２０に封入される印刷物１１０上に印字され、封筒１２０に封入された際に封筒１２０の着色領域１２１に対向するようになる情報１１１，１１２のうち、特定の情報１１１が封筒１２０の着色領域１２１と同一の色で印字されているため、印刷物１１０を封筒１２０に封入した場合、印刷物１１０に印字された情報１１１，１１２のうち封筒１２０の着色領域１２１と同一の色で印字された情報１１１のみが外部から視認不可能となり、印刷物１１０に印字された情報１１２を外部から視認可能としながらも、封筒１２０の着色領域１２１と同一の色で印字された情報１１１を外部から視認不可能とすることができる。
【００４６】
これにより、印刷物１１０に封筒１２０の着色領域１２１と同一の色で印字された情報１１１を見るために封筒１２０を開封しようとする意識が高まり、開封意欲を掻き立て、封筒１２０の開封率を高めることができる。特に、この封入体を手にする顧客の興味をひくような情報を、封筒１２０の着色領域１２１と同一の色で印字された情報１１１とすれば、さらに、開封意欲を高めることができる。
【００４７】
なお、上述した実施の形態においては、封筒２０，１２０全体が透明フィルムから構成されているものを例に挙げて説明したが、本発明はこれに限定せず、その一部分に透明フィルムが貼付された窓付き封筒を用いた場合においても、上述したものと同様の効果を得ることができる。
【００４８】
【発明の効果】
上記のように構成された本発明においては、所定の情報が印字された印刷物が、少なくとも一部が透明フィルムからなる封筒に封入されて構成される封入体であって、印刷物が、所定の情報が黒色で印字され、透明フィルムを介して外部から視認可能な領域のうち所定の情報の少なくとも一部を含む特定の領域が、黒以外の色で着色されており、封筒が、少なくとも、印刷物が封入された場合に特定の領域に対向する領域が、特定の領域の色と補色関係にある色の透明フィルムからなるような構成としたため、印刷物を封筒に封入した場合、印刷物の着色された領域の色と封筒の着色された領域の色とによる減色原理によって、印刷物の特定の領域が黒くなり、それにより、封筒に接する領域に印字された情報のうち特定の領域に黒色で印字された情報のみを外部から視認不可能とすることができる。
【００４９】
これにより、印刷物の特定の領域に印字された情報を見るために封筒を開封しようとする意識を高めることができ、封筒の開封率を高めることができる。
【００５０】
また、上述したような封入体を、特定の領域を着色した後に、着色された領域に従って所定の情報を印字することにより作成するものにおいては、予め着色された特定の領域に任意の情報を印字することが可能となり、封入体毎に同一の領域にて異なる情報を外部から視認不可能とすることができる。
【００５１】
また、上述したような封入体を、所定の情報を印字した後に、所定の情報のうち封筒を介して外部から視認不可能とすべき情報が印字された領域を着色することにより作成するものにおいては、同一の情報が同一のレイアウトで印字された印刷物に対しても任意の情報を外部から視認不可能とすることができる。
【図面の簡単な説明】
【図１】本発明の封入体の第１の実施の形態を示す図であり、（ａ）は所定の情報が印字された印刷物を示す図、（ｂ）は（ａ）に示した印刷物が封入される封筒を示す図である。
【図２】図１に示した印刷物が封筒に封入された状態を示す図である。
【図３】図１及び図２に示した封入体の作成方法の一例を説明するためのフローチャートである。
【図４】図１及び図２に示した封入体の作成方法の他の例を説明するためのフローチャートである。
【図５】本発明の封入体の第２の実施の形態を示す図であり、（ａ）は所定の情報が印字された印刷物を示す図、（ｂ）は（ａ）に示した印刷物が封入される封筒を示す図である。
【図６】図５に示した印刷物が封筒に封入された状態を示す図である。
【符号の説明】
１０，１１０    印刷物
１１，２１，１２１    着色領域
１２，１１１，１１２    情報
【図１】
0003802428.tif 000002
【図２】
0003802428.tif 000003
【図３】
0003802428.tif 000004
【図４】
0003802428.tif 000005
【図５】
0003802428.tif 000006
【図６】
0003802428.tif 000007